(57)【特許請求の範囲】
【請求項１】
バスドラムと、このバスドラムの胴本体内に収納される他の複数個のドラムとを備え、
前記胴本体を軸線方向に分割され着脱自在に連結される第１、第２の分割胴で構成し、これらの各分割胴にヘッド支持緊張手段を設け、連結側開口端面とは反対側の開口端面にドラムヘッドをそれぞれ緊張度調節可能に張設し、前記第１、第２の分割胴のうちのどちらか一方の外周に把持部を設けたことを特徴とするドラムセット。
【請求項２】
請求項１記載のドラムセットにおいて、
前記第１、第２の分割胴のうちどちらか一方の分割胴の外周面に、補助脚を収納可能かつ回動自在に枢支したことを特徴とするドラムセット。
【発明の詳細な説明】
【０００１】
【発明の属する技術分野】
本発明は、バスドラムを含む複数のドラムからなるドラムセットに関する。
【０００２】
【従来の技術】
ジャズやロックのバンド演奏などに用いられるこの種のドラムセットは、２０インチ（または２２か１８インチ）のベースドラム（バスドラム）と、このバスドラムの上に設置される複数個のタムタムと、バスドラムの左横に設置されるフロアタムと、同じく右横に設置されるハイハットシンバルと、それにスネアドラムという構成が最も一般的である。
【０００３】
【発明が解決しようとする課題】
しかしながら、このような従来のドラムセットにおいては、移動にあたっては各ドラムを個々に持ち運ばなければならないために、搬送性が悪く、気軽に搬送することができないという問題があった。また、収納保管時に床面に並べて収納すると、かなり広い収納スペースを必要とし、一方積み重ねて収納すると、高さが高くなり崩れ落ちるおそれがあり不安定であるという問題もあった。
【０００４】
そこで、このような問題を解決するものとして、例えばバスドラムの胴本体の一端側開口部にドラムヘッドを張設し、他端側開口部を開放とし、この開放部から胴本体内にタムタム等の他の小さなドラムを収納するようにしたドラムセットが知られている。しかし、シングルヘッドのバスドラムはダブルヘッドに較べて演奏範囲が狭くなるため、通常のバンド編成での演奏には用いることができないという問題があった。
【０００５】
また、特開昭５７−１８５４８７号公報に開示されているように、バスドラムの中に他の小さなドラムを収納するようにした練習用ドラムセットも知られている。しかし、このドラムセットはあくまでも初心者が練習のために用いるものであり、消音パッドをドラムヘッドの裏面に密着させて設けているため通常の演奏には用いることができないという問題があった。
【０００６】
本発明は上記したような従来の問題を解決するためになされたもので、その目的とするところは、通常の演奏に用いることができ、また搬送性に優れ、コンパクトに収納することができるドラムセットを提供することにある。
【０００７】
【課題を解決するための手段】
上記目的を達成するために第１の発明は、バスドラムと、このバスドラムの胴本体内に収納される他の複数個のドラムとを備え、前記胴本体を軸線方向に分割され着脱自在に連結される第１、第２の分割胴で構成し、これらの各分割胴にヘッド支持緊張手段を設け、連結側開口端面とは反対側の開口端面にドラムヘッドをそれぞれ緊張度調節可能に張設し、前記第１、第２の分割胴のうちのどちらか一方の外周に把持部を設けたことを特徴とする。
【０００８】
第２の発明は、前記第１、第２の分割胴のうちどちらか一方の分割胴の外周面に、補助脚を収納可能かつ回動自在に枢支したことを特徴とする。
【０００９】
本発明においては、バスドラムの両端開口部にドラムヘッドが張設されているので、通常の演奏に用いることができる。胴本体の内部空間は収納部を形成しており、第１、第２の分割胴を分離すると、他のドラムを収納することができる。
【００１０】
【発明の実施の形態】
以下、本発明を図面に示す実施の形態に基づいて詳細に説明する。
図１は本発明に係るドラムセットの収納状態における外観斜視図、図２は第１、第２の分割胴を分離した状態を示す外観斜視図、図３は演奏時の状態を示す外観斜視図、図４はバスドラムの胴本体にフットペダルを取付けた状態を示す外観斜視図、図５はバスドラムの要部の断面図、図６はドラム取付用金具の断面図である。これらの図において、ドラムセット１は、バスドラム２と、このバスドラム２にドラム取付用金具３を介して設置される大小二個のタムタム４およびスネアドラム５と、フットペダル６を備えている。
【００１１】
前記バスドラム２は、木材、繊維強化合成樹脂（ＦＲＰ）、金属等で円筒状に形成された胴本体７を備えている。この胴本体７は、軸線方向に分割され着脱自在に連結される第１、第２の分割胴８，９によって構成され、内部空間が前記ドラム取付用金具３、タムタム４、スネアドラム５等を収納する収納部１０を形成している。胴本体７の長さは、前記タムタム４、スネアドラム５を重ね合わせた状態で収納し得るに十分な長さを有している。また、バスドラム２としては、通常直径が１４〜２０インチのものが用いられる。
【００１２】
前記第１、第２の分割胴８，９は、内、外径が同一で、一端がインロー構造によって嵌合され、外周面に取付けた複数個のクランプ装置１１によって分離可能に連結される。そのため、第１、第２の分割胴８，９の連結側開口端面は、様々な形状が考えられるが、図５に示すように突部１３と凹部１４が形成されて嵌合することが、すれがなく連結できるので好ましい。第１の分割胴８と第２の分割胴９の互いに連結される開口端面と反対側の開口端面には、ドラムヘッド１５がそれぞれ張設されている。ドラムヘッド１５は、天然皮革、合成樹脂製フィルム（例：ポリエステル樹脂、ポリカーボネート樹脂等）等によって形成され、各分割胴８，９の外周面に取付けた複数個のヘッド支持緊張手段１６によってそれぞれ一様な張力で支持緊張されている。なお、本実施の形態においては、第１、第２の分割胴８，９の長さを異ならせ、第２の分割胴９を第１の分割胴８より長く形成することにより、前記タムタム４、スネアドラム５等を収納するための容器として用い、第１の分割胴８を蓋体として用いるようにしている。
【００１３】
前記ヘッド支持緊張手段１６は、ドラムヘッド１５の周縁部を保持し、胴本体７の開口端部外周に嵌装される環状のヘッド枠１７と、同じく胴本体７の外周に嵌装され前記ヘッド枠１７を押圧する環状の締め枠（以下、リムという）１８と、このリム１８を胴本体７にラグ１９を介して連結する締めボルト２０等で構成されている。ドラムヘッド１２の張力、言い換えればドラムの音色は、締めボルト２０を図示しないチューニングキーによって回してリム１８を軸線方向に移動させると、リム１８のヘッド枠１７に対する押圧力が変化するため、容易に調節することができる。また、ドラムヘッド１２をチューニングできるので、通常のアコースティックドラムとして十分演奏ができる。なお、ラグ１９は、各第１、第２の分割胴８，９にそれぞれ取付けられている。
【００１４】
また、前記第１の分割胴８の周面には、複数個の空気穴２１が形成されている。この空気穴２１は、胴本体７の内外を連通させることにより、音の抜けを良くするとともにドラムヘッド１５の振動を容易にし、演奏し易くするためのものである。さらに、第１の分割胴８の外周面で、胴本体７を床面に横向きに設置したとき両側部となる部分には、胴本体７が転がらないように安定した状態で支持する二本の補助脚２２が取付けられている。これらの補助脚２２は、基端部が第１の分割胴８の外周に取付けた脚用取付金具２３に胴本体７の径方向および軸線方向に回動自在に枢支され、先端にゴム脚２４が取付けられている。そして、これらの補助脚２２は、不使用時に胴本体７の外周面に沿って収納され、係止具２５によって第２の分割胴９の外周に係止される。
【００１５】
さらにまた、第１、第２の分割胴８，９の外周面で、胴本体７を床面に横向きに設置したとき上方となる部分には、前記ドラム用取付金具３を取付けるための取付部材２７が複数個のボルト２８およびナット２９によって固定されている。この取付部材２７は、アルミニウム合金等によって図６に示すように截頭円錐形に形成され、先端面中央に前記ドラム用取付金具３のロッド３０が挿通される挿通孔３１を有し、外周面にはロッド３０を取付部材２７に固定するための蝶ねじ３２が挿通される孔３３が形成されている。また、内部には、前記ロッド３０が貫通する筒体３４と、前記蝶ねじ３２によってロッド３０の外周に押し付けられる押圧板３５と、蝶ねじ３２に螺合するナット３６が組み込まれている。
【００１６】
前記ドラム用取付具３は、前記ロッド３０と、このロッド３０のバスドラム２側とは反対側の端部に取付けられたボールジョイント３７とを備えている。ボールジョイント３７は、ボール３８と、球状のボール収納部を有し前記ボール３８を全方向に所要角度回動自在に抱持する抱持部材３９と、この抱持部材３９の内面にボール３８を押し付けるねじ４０等を備えている。また、ボール３８には連結バー４１が前記ロッド３０と直交するように一体に突設されている。この連結バー４１は、タムタム４（またはスネアドラム５）の胴本体４２の外周面に取付けた取付部材４３に挿通され、蝶ねじ４４によって固定されることにより、前記タムタム４を支持する。前記取付部材４３の内部には、前記蝶ねじ４４によって連結バー４０に押し付けられる押圧板４５と、蝶ねじ４４に螺合するナット４６が組み込まれている。また、取付部材４３の内周面には前記押圧板４５に対応して突部４７が中心方向に一体に突設されており、この突部４７と前記押圧板４５によって連結バー４１を挟持するようにしている。
【００１７】
さらに前記第２の分割胴９の外周には、搬送用の把持部４８と、前記フットペダル６が取付けられる高さ設定用脚５０が設けられている。把持部４８は、奏者等がバスドラム２を搬送するときに把持される。高さ設定用脚５０は、ドラムヘッド側開口端部に取付けられ、前記補助脚２２とともにドラムヘッド７を床面から浮かせた状態で支持することにより、ドラムヘッド１５の被打撃部（通常は略中心）をフットペダル６のビータ高さと略一致させるようにしている。
【００１８】
図４において、前記フットペダル６は、ロッカ５３を備えた回動軸５４と、この回動軸５４を回動自在に軸支するフレーム５５と、ロッカ５３にビータロッド５６を介して取付けたビータ５７と、前記ロッカ５３にタイミングベルト５８を介して連結されたフットボード５９と、前記回動軸５４に復帰方向の回動習性を付与する圧縮コイルばね６０等で構成されている。このようなフットペダル５１は、従来周知のもので、前記フレーム５５が前記高さ設定用脚５０に着脱自在に取付けられており、フットボード５９を踏込操作して回動軸５４を圧縮コイルばね６０に抗して回動させると、これと一体にビータ５７が回動してドラムヘッド１５を打撃し、フットボード５９から踏込力を取り除くと、圧縮コイルばね６０の力によってフットボード５９が元の高さ位置に上昇復帰するように構成されている。
【００１９】
このようなドラムセット１にあっては、バスドラム２の胴本体７を軸線方向に分割して形成された第１、第２の分割胴８，９で構成し、その内部にタムタム４、スネアドラム５等を積層状態で収納できるようにしているので、持ち運びが容易である。特に、把持部４８を備えていると、外ケースが不要となりより一層持ち運びが容易で、搬送性を向上させることができる。また、バスドラム２を収納するに必要なスペースがあれば十分であるため、収納スペースを小さくでき、しかもタムタム４、スネアドラム５等はバスドラム２に収納されて保管されるので、紛失したりするおそれもない。
【００２０】
また、バスドラム２は、通常のアコースティックドラムと同様にダブルヘッドであるため、バンド演奏に何等不都合なく使用することができ、しかも第１、第２の分割胴８，９を分離すると、シングルヘッドのドラムとしても使用することができる。
【００２１】
ここで、第１、第２の分割胴８，９の接合部間に緩衝材を介在させておくと、衝撃を和らげ、各分割胴の損傷を防止することができる。また、バスドラム２が十分大きければ、セットに必要な付属品をも収納することができる。
【００２２】
【発明の効果】
以上説明したように、本発明に係るドラムセットによれば、通常の演奏に用いることができ、また搬送性に優れ、コンパクトに収納することができる。
【図面の簡単な説明】
【図１】本発明に係るドラムセットの収納状態における外観斜視図である。
【図２】第１、第２の分割胴を分離した状態を示す外観斜視図である。
【図３】演奏時の状態を示す外観斜視図である。
【図４】バスドラムの胴本体にフットペダルを取付けた状態を示す外観斜視図である。
【図５】バスドラムの要部の断面図である。
【図６】ドラム取付用金具の断面図である。
【符号の説明】
１…ドラムセット、２…バスドラム、３…ドラム取付用金具、４…タムタム、５…スネアドラム、６…フットペダル、７…胴本体、８…第１の分割胴、９…第２の分割胴、１５…ドラムヘッド、２１…空気穴、２２…補助脚、４８…把持部、５０…高さ調整用脚。
【図１】
0003543622.tif 000002
【図２】
0003543622.tif 000003
【図３】
0003543622.tif 000004
【図４】
0003543622.tif 000005
【図５】
0003543622.tif 000006
【図６】
0003543622.tif 000007